(57)【要約】【課題】通常の運転制御における各構成部品の動作音を、使用者に認識させる。【解決手段】冷蔵庫の構成部品を動作させる冷蔵庫制御基板５と、冷蔵庫制御基板５と接続されている入力部４及び表示部３とを備え、入力部４は動作音確認のために構成部品を選択する構成であり、表示部３は入力部４で選択された動作中の構成部品を表示させる。【選択図】  図３
2015040635.tif 000002
【特許請求の範囲】
【請求項１】
冷蔵庫の構成部品を動作させる冷蔵庫制御基板と、前記冷蔵庫制御基板と接続されている入力部及び表示部とを備え、前記入力部は動作音確認のために前記構成部品を選択する構成であり、前記表示部は前記入力部で選択された動作中の前記構成部品を表示させることを特徴とする冷蔵庫。
【請求項２】
前記入力部で選択された前記構成部品の情報を前記冷蔵庫制御基板へ伝え、前記選択された構成部品を単独での動作音で動作させることを特徴とする、請求項１記載の冷蔵庫。
【請求項３】
前記冷蔵庫制御基板が構成部品動作音確認モードを表示させているときに、動作時間を計測する動作タイマを備え、動作タイマで計測される時間が一定時間越えると、自動で通常運転に戻るようにしたことを特徴とする、請求項１記載の冷蔵庫。
【発明の詳細な説明】
【技術分野】
【０００１】
本発明は、冷蔵庫に関するものである。
【背景技術】
【０００２】
本技術分野の背景技術として、特許文献１（特開２００４−１０１０６８号公報）、特許文献２（特開２０１１−２０８９００号公報）がある。
【０００３】
特許文献１の要約欄には、「操作パネルからアクチュエータ操作モードの入力により、アクチュエータを独立に動作できるようにし、サービス時や冷蔵庫製造ラインにおいて、アクチュエータを独立に動作させ、動作部品の動作を調べ、アクチュエータの異常検出を容易に行える冷蔵庫を得る。」と記載されている。
【０００４】
特許文献２の要約欄には、「冷蔵庫の各種動作部品を動作させるアクチュエータを制御する冷蔵庫制御基板と、制御基板と信号の送受信が可能な操作パネルと、操作パネルに動作確認や自己診断のためにアクチュエータの動作を決定する特殊運転モードと関係付けられた記号を表示させる表示部と、記号を選択するための記号選択操作部により、自己診断運転などの特殊運転を決定するのに特別な入力装置や、複雑な操作方法が不要となり簡便に複数の特殊運転を制御することができる。」と記載されている。
【先行技術文献】
【特許文献】
【０００５】
【特許文献１】特開２００４−１０１０６８号公報
【特許文献２】特開２０１１−２０８９００号公報
【発明の概要】
【発明が解決しようとする課題】
【０００６】
近年、冷蔵庫は、圧縮機を中心とした冷却回路以外に電動ダンパ、冷却ファンや自動製氷装置など多くの可動する構成部品を有する。これらの構成部品は動作する際に動作音が発生する事があり、各構成部品の個別の動作音であったり、運転状態により複雑に制御された複合動作による構成部品の動作音であったりする。また、他の家電製品からも動作音が発生する。
【０００７】
このような実使用状況において、家電製品から突然動作音が発生すると、使用者はどの家電製品の動作音なのか、冷蔵庫の動作音だとしてもどの構成部品の動作音なのか不明である。さらには、故障ではない動作音であっても故障と疑う場合がある。
【０００８】
このような場合、使用者はサービスセンター等に問い合わせるが、サービスセンターでは使用者の証言のみから、どの構成部品の動作音か特定することが困難である。また、サービスマンが使用者を訪問して各構成部品の動作音を点検しても、すでに特定の構成部品の動作が終了しており、該当する構成部品の特定が難しい。また、故障ではない構成部品の動作音に対する問合せであった場合、構成部品の特定はさらに困難となる。
【０００９】
特許文献１では、動作部品の動作の正常、異常の確認を目的とし、例えば圧縮機の回転数を指定したり、電動ダンパの開角度を指定したりと、通常の運転状況とは異なる条件の動作でアクチュエータ操作モードを行う。また、特許文献２では、特殊運転モードを動作させて自己診断や動作確認をする構成である。
【００１０】
これらの構成では、通常時に各構成部品がどのような動作音を発するか不明であり、使用者の問合せがどの構成部品の動作音に対するものか特定することが困難である。また、故障ではない動作音であっても使用者が故障と疑うケースを軽減できない。
【００１１】
そこで、本発明では、通常の運転制御における各構成部品の動作音を、使用者に認識させることを目的とする。
【課題を解決するための手段】
【００１２】
本発明は、冷蔵庫の構成部品を動作させる冷蔵庫制御基板と、前記冷蔵庫制御基板と接続されている入力部及び表示部とを備え、前記入力部は動作音確認のために前記構成部品を選択する構成であり、前記表示部は前記入力部で選択された動作中の前記構成部品を表示させることを特徴とする。
【発明の効果】
【００１３】
本発明によれば、通常の運転制御における各構成部品の動作音を、使用者に認識させることができる。
【図面の簡単な説明】
【００１４】
【図１】本発明の実施形態の冷蔵庫を示す正面図
【図２】本発明の実施形態の操作パネルの概略構成図
【図３】本発明の実施形態の冷蔵庫の電気回路概略図
【発明を実施するための形態】
【００１５】
以下、本発明の実施形態を図面に基づいて説明する。図１は本発明の実施形態の冷蔵庫を示す正面図である。図２は本発明の実施形態の操作パネルの概略構成図である。図３は本発明の実施形態の冷蔵庫の電気回路概略図である。
【００１６】
冷蔵庫本体１の扉２ａには、操作パネル２を設けている。操作パネル２には表示部３、入力部４が設けられている。なお、本実施例では扉２ａに表示部３及び入力部４を設けているが、これに限定されず、庫内や冷蔵庫本体１の壁面に設けてもよい。また、表示部３と入力部４を隣接して配置する構成に限らず、離れた位置に設けてもよい。さらに、携帯電子端末やその他の電子機器等と有線又は無線で通信することで、当該携帯電子端末やその他の電子機器で入力及び表示を行わせるように構成してもよい。
【００１７】
特に図示しないが、冷蔵庫本体１には冷蔵庫制御基板５が組み込まれており、冷蔵庫制御基板５は表示部３、入力部４の制御や圧縮機６、ファンモータ７、電動弁８、電動ダンパ９、自動製氷機１０、真空ポンプモータ１１の動作等を行う。
【００１８】
入力部４では動作させたい各構成部品の選択を受け付け、表示部３では選択中の構成部品や動作中の構成部品が何であるかを表示する。本実施例の入力部４としては、静電容量式のタッチスイッチを採用している。これ以外にも、機械式スイッチや電気式スイッチ等、あらゆる入力方式が適用できる。また、本実施例の表示部３としては、ＬＥＤを一例とする照明手段で文字や記号等の印刷表示を後方から前方に照射する構成を採用している。これ以外にも、液晶表示や音声報知等、あらゆる表示方式が適用できる。
【００１９】
入力部４で選択された構成部品の動作指示を、冷蔵庫制御基板５が受け取り、選択された構成部品の動作を開始すると共に、表示部３に選択された構成部品が動作中である事を表示させる。この時、選択されていない他の構成部品は動作を停止するか、特定の構成部品のみ同時に動作させるように制御する。これにより、各構成部品の動作音を予め使用者に認識させることができ、使用者が通常の動作音に対する認識を高めることができる。また、通常の動作音を故障と誤認するケースを低減することができる。
【００２０】
また、使用者からの動作音に対する問い合わせに対し、サービスマンが訪問して個別に構成部品の動作を行わせることで、使用者に何の動作音かの説明することができる。よって、冷蔵庫のサービス性を向上させる事ができる。
【００２１】
また、本実施形態の冷蔵庫は、動作部品が動作を開始してからの時間を計測する動作タイマで、一定の時間が経過すると自動で通常運転に戻すようにしているので、本来の動作順序や、本来の他の部品の状態となっていた時、動作指令のあった構成部品の動作が終了しなくなっても、自動で通常運転に戻るので、安全に使用できる。
【００２２】
また、本実施形態の冷蔵庫は、動作部品が動作を終了してから、次の構成部品選択の為の入力を監視する、入力待ちタイマを持ち、次の部品動作選択が一定時間入力されなければ、自動で通常運転に戻るので、動作部品音確認を終了する事を忘れても、安全に使用できる。すなわち、冷蔵庫制御基板５が構成部品動作音確認モードを表示させているときに、動作時間を計測する動作タイマを備え、動作タイマで計測される時間が一定時間越えると、自動で通常運転に戻るようにする。
【００２３】
さらに、冷蔵庫の設置環境によって、各構成部品の動作音はそれぞれ異なることがあるが、冷蔵庫を設置した後に、その設置環境下で使用者に部品の動作音を予め認識させることができるので、動作音に対するサービスセンターへの問合せを軽減できる。
【００２４】
本実施形態によると、使用者が気になった動作音の問い合わせに対し、サービスマンが訪問し、個別に構成部品の動作を行わせ、使用者に気になった音が何の音かの説明をする事を可能としたり、どの構成部品が動作すると、どのような音がしたりするかを、予め使用者にお知らせする事ができ、使用者が音で不安になる事を解消し、サービス性を向上させる事ができる。
【符号の説明】
【００２５】
１  冷蔵庫本体
２  操作パネル
３  表示部
４  入力部
５  冷蔵庫制御基板
【図１】
2015040635.tif 000003
【図２】
2015040635.tif 000004
【図３】
2015040635.tif 000005